(57)【特許請求の範囲】
【請求項１】
第１の回路基板、前記第１の回路基板と対向する第２の回路基板、及び前記第１の回路基板に接続されるアンテナとを有する携帯通信装置であって、
前記アンテナは、
前記第１の回路基板に平行する方向に延設された第１のアンテナ部と、
前記第１の回路基板から遠い側の前記第１のアンテナ部の端部に、前記第２の回路基板側に屈曲する方向に延設された第２のアンテナ部を有し、
前記第２の回路基板の端部が前記アンテナの直下の位置まで延長された基板延長部を備えることを特徴とする携帯通信装置。
【請求項２】
第１の回路基板、前記第１の回路基板と対向する第２の回路基板、及び前記第１の回路基板に接続されるアンテナとを有する携帯通信装置であって、
前記アンテナは、
前記第１の回路基板に平行する方向に延設された第１のアンテナ部と、
前記第１の回路基板から遠い側の前記第１のアンテナ部の端部に、前記第２の回路基板側に屈曲する方向に延設された第２のアンテナ部を有し、
前記第２の回路基板は、前記アンテナの直下に導電体を含む部品を備えることを特徴とする携帯通信装置。
【発明の詳細な説明】
【技術分野】
【０００１】
本出願は携帯通信装置に関する。以下に説明される実施の形態では、実施例として通話時のアンテナの特性劣化の低減を図った携帯電話機が説明される。
【背景技術】
【０００２】
可動側筐体と固定側筐体の双方が備える回路基板を電気的に結合するための接続部を、双方の回路基板の筐体端部側に備える構成とした開閉型無線通信装置が特許文献１に開示されている。特許文献１に開示の装置では、当該接続部により双方の回路基板の電流ベクトルがアンテナの給電点に向かうようになる。これにより、双方の回路基板に形成されたグランドが高周波結合されるため、アンテナ特性が良くなるという技術を特許文献１は示している。
【先行技術文献】
【特許文献】
【０００３】
【特許文献１】特開２００５−１９２０５５号公報
【発明の概要】
【発明が解決しようとする課題】
【０００４】
携帯電話機では、通話状態でのアンテナ特性を向上させるために、通話状態でのアンテナ特性については人体、特に頭部に携帯電話機を密着させた状態でのアンテナ特性を向上させることが検討されている。ところが、これまでは携帯電話機においてアンテナの実装を検討する際には自由空間に置かれた携帯電話機のアンテナ特性の向上に重点が置かれてアンテナ実装が検討されていたために、携帯電話機を人体に密着させた使用時にアンテナ特性が劣化することがあった。即ち、例えば折畳み携帯電話機やスライド携帯電話機を閉じた状態において、通話時に人体側となる筐体内にアンテナが搭載された携帯電話機では、通話時に人体側となる筐体に流れる高周波電流が人体に吸収されてしまい、アンテナ特性が劣化してしまう場合があった。特許文献１に記載の可動側筐体と固定側筐体の双方の回路基板同士を接続部で接続する構成を採用しても、電気的な結合度が弱く、高周波電流の電流ベクトルを制御することは困難であった。
【０００５】
本出願は、通話時に人体側となる筐体内にアンテナが搭載された携帯通信装置において、通話時のアンテナ性能を向上させることが可能な携帯通信装置を提供することを目的としている。
【課題を解決するための手段】
【０００６】
前記目的を達成する本出願の携帯通信装置の第１の形態は、第１の回路基板、第１の回路基板と対向する第２の回路基板、及び第１の回路基板に接続されるアンテナとを有する携帯通信装置であって、アンテナは、第１の回路基板に平行する方向に延設された第１のアンテナ部と、第１の回路基板から遠い側の第１のアンテナ部の端部に、第２の回路基板側に屈曲する方向に延設された第２のアンテナ部を有し、第２の回路基板の端部がアンテナの直下の位置まで延長された基板延長部を備えることを特徴とするものである。
また、前記目的を達成する本出願の携帯通信装置の第２の形態は、第１の回路基板、第１の回路基板と対向する第２の回路基板、及び第１の回路基板に接続されるアンテナとを有する携帯通信装置であって、アンテナは、第１の回路基板に平行する方向に延設された第１のアンテナ部と、第１の回路基板から遠い側の第１のアンテナ部の端部に、第２の回路基板側に屈曲する方向に延設された第２のアンテナ部を有し、第２の回路基板は、アンテナの直下に導電体を含む部品を備えることを特徴とするものである。
【発明の効果】
【０００７】
本出願によれば、使用時に人体に近づく側の筐体内にアンテナが搭載された携帯通信装置において、アンテナ性能を向上させることが可能になる。
【図面の簡単な説明】
【０００８】
【図１】本出願に係る第１の形態の携帯通信装置の一例である横スライド型携帯電話機をスライドさせた状態を示す斜視図である。
【図２】図１に示した横スライド型携帯電話機を閉じた状態を示す斜視図である。
【図３】図２に示した横スライド型携帯電話機の使用状態を示す斜視図である。
【図４】図３に示した横スライド型携帯電話機の使用状態において第１の回路基板に流れる電流のイメージを示す部分断面図である。
【図５】図１に示したスライド状態における横スライド型携帯電話機の内部にある第１の回路基板と第２の回路基板の状態と第１の回路基板に取り付けるアンテナを示す組み立て斜視図である。
【図６】図５に示したアンテナと第１の回路基板との接続を示す部分断面図である。
【図７】図６に示したアンテナと第１の回路基板との接続を図６と直交する方向から見た部分断面図である。
【図８】図５に示した第１の回路基板と第２の回路基板がフレキシブルケーブルで接続された状態を示す部分断面図である。
【図９】本出願の携帯通信装置の第１の実施例におけるアンテナの形状を示す部分断面図である。
【図１０】本出願の携帯通信装置の第２の実施例におけるアンテナの形状を示す部分断面図である。
【図１１】本出願の携帯通信装置の第３の実施例における第２の回路基板の形状を示す部分断面図である。
【図１２】本出願の携帯通信装置の第４の実施例における第２の回路基板の形状を示す部分断面図である。
【図１３】本出願の携帯通信装置の第５の実施例を示し、第１の実施例のアンテナと第３の実施例の第２の回路基板を組み合わせた状態を示す部分断面図である。
【図１４】本出願の携帯通信装置の第６の実施例を示し、第２の実施例のアンテナと第３の実施例の第２の回路基板を組み合わせた状態を示す部分断面図である。
【図１５】本出願の携帯通信装置の第７の実施例を示し、第１の実施例のアンテナと第４の実施例の第２の回路基板を組み合わせた状態を示す部分断面図である。
【図１６】本出願の携帯通信装置の第８の実施例を示し、第２の実施例のアンテナと第４の実施例の第２の回路基板を組み合わせた状態を示す部分断面図である。
【図１７】本出願の第１の実施例のアンテナ形状を正面側から見た斜視図である。
【図１８】本出願の第１の実施例のアンテナ形状を裏面側から見た斜視図である
【図１９】本出願の第１の実施例のアンテナ形状を下方から見た斜視図である。
【図２０】図１７〜図１９に示したアンテナが図５に示した第１の回路基板に取り付けられた状態を示す斜視図である。
【図２１】図７に示したアンテナの代わりに本出願の第１の実施例のアンテナが取り付けられた状態を示す部分断面図である。
【図２２】図８に示したアンテナの代わりに本出願の第１の実施例のアンテナが取り付けられた状態を示す部分断面図である。
【図２３】図６に示したアンテナの代わりに本出願の第１の実施例のアンテナが取り付けられた状態を示す部分断面図である。
【図２４】図２０に示した第１の回路基板に表示器を取り付けた状態を示す斜視図である。
【図２５】本出願の第１の実施例のアンテナの変形実施例の斜視図である。
【図２６】本出願の第１の実施例のアンテナの変形実施例の斜視図である。
【図２７】本出願の第１の実施例のアンテナの変形実施例の斜視図である。
【図２８】本出願の第２の実施例のアンテナの具体的な形状を、図１９に示した第１の実施例のアンテナの方向と同じ方向から見た斜視図である。
【図２９】本出願の第２の実施例の変形例のアンテナ形状を、図１７に示した第１の実施例のアンテナの方向と同じ方向から見た斜視図である。
【図３０】図２４に示した第２の回路基板を本出願の第３の実施例の第２の回路基板に代えた構成を示す斜視図である。
【図３１】本出願の第４の実施例の第２の回路基板の構成を示す斜視図である。
【図３２】第１の回路基板と第２の回路基板が１つの筐体内に設置された本出願に係る第２の形態の携帯通信装置の一例であるストレート型携帯電話機の斜視図である。
【図３３】本出願に係る第２の形態の携帯通信装置における従来のアンテナ構造を示す部分断面図である。
【図３４】本出願の第２の形態の携帯通信装置に、図９に示した本出願の携帯通信装置の第１の実施例におけるアンテナを取り付けた部分断面図である。
【図３５】本出願の第２の形態の携帯通信装置に、図１０に示した本出願の携帯通信装置の第２の実施例におけるアンテナを取り付けた部分断面図である。
【図３６】本出願の第２の形態の携帯通信装置に、図１１に示した本出願の携帯通信装置の第３の実施例における第２の回路基板を取り付けた部分断面図である。
【図３７】本出願の第２の形態の携帯通信装置に、図１２に示した本出願の携帯通信装置の第４の実施例における第２の回路基板を取り付けた部分断面図である。
【発明を実施するための形態】
【０００９】
以下、添付図面を用いて本出願の実施の形態を、具体的な実施例に基づいて詳細に説明する。なお、同じ構成部材には同じ符号を付して説明する。
【００１０】
図１、図２は、本出願に係る第１の形態の携帯通信装置の一例である横スライド型携帯電話機１０を示している。横スライド型携帯電話機１０は第１の筐体である上側筐体１と第２の筐体である下側筐体２を備えており、図１は下側筐体２に対して上側筐体１がスライドした状態、図２は上側筐体１が下側筐体２に重なって閉じた状態を示す。ここで、横スライドとは、下側筐体２に対して上側筐体１が短手方向にスライドすることを言い、下側筐体２に対して上側筐体１が長手方向にスライドすることは縦スライドと言う。第１の形態の横スライド型携帯電話機１０は、上側筐体１に携帯電話機能、下側筐体２にコンピュータのような電子機器機能を備えるものである。
【００１１】
横スライド型携帯電話機１０には、図１に示されるように、下側筐体２に対して上側筐体１がスライドした時に現れる入力キー７が下側筐体２にあり、上側筐体１には表示器４と受話口５と送話口６がある。受話口５はレシーバと呼ばれ、上側筐体１の内部にスピーカが設けられている。また、送話口６はマイクと呼ばれ、上側筐体１の内部にマイクロフォンが設けられている。更に、上部筐体１のマイク６の近傍の内部には、電波を送受信するアンテナ３が設けられている。以上のように構成された横スライド型の携帯電話機１０は、図３に示すように通話時には閉じた状態で使用される。なお、アンテナ３は必ずしもマイク６の近傍に配置される必要はない。
【００１２】
横スライド型携帯電話機１０では、図４、図５〜図８に示すように、上側筐体１に内蔵された第１の回路基板１１に平板状のアンテナ３が接続端子１３を介して接続されている。接続端子１３にはアンテナ給電用のばね（図示省略）が内蔵されており、アンテナ３は第１の回路基板１１に対して平行に配置される。第１の回路基板１１の裏面側には電話機能を備えたベースバンドチップ２４が設けられている。また、下側筐体２には第２の回路基板１２が内蔵されており、第１の回路基板１１と第２の回路基板１２はフレキシブルケーブル（ＦＰＣ）１５で接続されている。１４はＦＰＣ１５の第１の回路基板１１への接続部、１６はＦＰＣ１５の第２の回路基板１２への接続部を示している。
【００１３】
このように構成された横スライド型携帯電話機１０では、通話時にアンテナ特性が劣化してしまう問題があった。この問題は、８００ＭＨｚ帯の低周波用のアンテナを持つ携帯電話機では、筐体全体に電流を流して電波を放射させているために、図３に示す状態で使用されると上部筐体１に流れる高周波電流が人体（頭部）８に吸収されてしまうことに起因する。即ち、図４に示す第１の回路基板１１に流れる電流ＥＣが大きいと、上部筐体１に流れる高周波電流も大きくなって人体の影響が大きくなる。
【００１４】
そこで、本出願では、上部筐体１が下部筐体２に対して横方向にスライドする第１の形態の携帯通信装置、特に、横スライド型携帯電話機１０において、第１の回路基板１１に流れる電流ＥＣを分散させて、第２の回路基板１２に分散電流ｅｃを流すようにする。即ち、本アンテナではアンテナエレメントの端部において電圧が最大になるので、この端部を人体から遠い側にある第２の回路基板１２に近づける方向に曲げることにより、第２の回路基板１２に分散電流ｅｃを流すのである。図９から図１２は本出願の基本的な第１から第４の実施例を示すものであり、図１３から図１６は第１から第４の実施例の組み合わせによる第５から第８の実施例を示すものである。
【００１５】
図９は、本出願の横スライド型携帯電話機１０の第１の実施例におけるアンテナ３の形状を示すものである。第１の実施例では、上部筐体１に内蔵される第１の回路基板１１に接続端子１３を介して接続するアンテナ３を、第１のアンテナ部３１と第２のアンテナ部３２とから構成した。第１のアンテナ部３１は、第１の回路基板１１の端部２１に沿って第１の回路基板１１に平行する方向に延設して設け、第２のアンテナ部３２は、第１のアンテナ部３１の端部を延長して第２の回路基板１２側に屈曲されて延伸して設けている。第１の回路基板１１に流れる電流ＥＣはこの第２のアンテナ部３２により、第２の回路基板１２に電流ｅｃとして分散して流れる。
【００１６】
図１０は、本出願の横スライド型携帯電話機１０の第２の実施例におけるアンテナ３の形状を示すものである。第２の実施例では、上部筐体１に内蔵される第１の回路基板１１に接続端子１３を介して接続するアンテナ３を、第１のアンテナ部３１と第２のアンテナ部３２、及び第３のアンテナ部３３とから構成した。第１のアンテナ部３１は、第１の回路基板１１の端部２１に沿って第１の回路基板１１に平行する方向に延設して設け、第２のアンテナ部３２は、第１のアンテナ部３１の端部を延長して第２の回路基板１２側に屈曲されて延伸して設ける。更に、第２のアンテナ部３２の端部を延長し、この延長部を第２の回路基板１２に平行な方向に折り曲げて第３のアンテナ部３３を設ける。第１の回路基板１１に流れる電流ＥＣはこの第２のアンテナ部３２と第３のアンテナ部３３とにより、第２の回路基板１２に電流ｅｃとして分散して流れる。
【００１７】
なお、上述の第１のアンテナ部３１、第２のアンテナ部３２及び第３のアンテナ部３３は、１つの部材を折り曲げることで形成しても良いし、それぞれを別個の部材として用意し、これらを接合することで形成しても良い。第１のアンテナ部３１、第２のアンテナ部３２及び第３のアンテナ部３３のこの構成は、以下の実施例においても同様である。
【００１８】
図１１は、本出願の横スライド型携帯電話機１０の第３の実施例における第２の回路基板１２の形状を示すものである。第３の実施例では、上部筐体１に内蔵される第１の回路基板１１に接続端子１３を介して接続するアンテナ３を、第１のアンテナ部３１のみから構成する。一方、第２の回路基板１２の端部２２は、アンテナ３の直下の位置まで延長して基板延長部１７を設ける。第１の回路基板１１に流れる電流ＥＣはこの基板延長部１７により、第２の回路基板１２に電流ｅｃとして分散して流れる。
【００１９】
図１２は、本出願の横スライド型携帯電話機１０の第４の実施例における第２の回路基板１２の形状を示すものである。第４の実施例では、上部筐体１に内蔵される第１の回路基板１１に接続端子１３を介して接続するアンテナ３を、第１のアンテナ部３１のみから構成する。一方、第２の回路基板１２の端部２２に、導電体を含む部品１８を、アンテナ３の直下に位置するように取り付ける。導電体を含む部品１８は、第２の回路基板１２の端部２２を延長せずに第２の回路基板１２に取り付けても良く、また、第２の回路基板１２の端部２２を延長してその延長部の上に取り付けても良い。第１の回路基板１１に流れる電流ＥＣはこの導電体を含む部品１８により、第２の回路基板１２に電流ｅｃとして分散して流れる。
【００２０】
図１３は、本出願の横スライド型携帯電話機１０の第５の実施例を示すものであり、第１の実施例のアンテナ３と第３の実施例の第２の回路基板１２を組み合わせた実施例である。即ち、アンテナ３は、前述の第１のアンテナ部３１と第２のアンテナ部３２とから構成し、第２の回路基板１２の端部２２に、アンテナ３の直下の位置まで延長された基板延長部１７を設ければ第５の実施例となる。第１の回路基板１１に流れる電流ＥＣはこの第２のアンテナ部３２と基板延長部１７とにより、第２の回路基板１２に電流ｅｃとして分散して流れる。
【００２１】
図１４は、本出願の横スライド型携帯電話機１０の第６の実施例を示すものであり、第２の実施例のアンテナ３と第３の実施例の第２の回路基板１２を組み合わせた実施例である。アンテナ３は、前述の第１のアンテナ部３１と第２のアンテナ部３２及び第３のアンテナ部３３とから構成し、第２の回路基板１２の端部２２に、アンテナ３の直下の位置まで延長された基板延長部１７を設ければ第６の実施例となる。第１の回路基板１１に流れる電流ＥＣはこの第２のアンテナ部３２、第３のアンテナ部３３及び基板延長部１７により、第２の回路基板１２に電流ｅｃとして分散して流れる。
【００２２】
図１５は、本出願の横スライド型携帯電話機１０の第７の実施例を示すものであり、第１の実施例のアンテナ３と第４の実施例の第２の回路基板１２を組み合わせた実施例である。即ち、アンテナ３は、前述の第１のアンテナ部３１と第２のアンテナ部３２とから構成し、第２の回路基板１２の端部２２に、導電体を含む部品１８を、アンテナ３の直下に位置するように取り付けて構成する。導電体を含む部品１８は、第２の回路基板１２の端部２２を延長せずに第２の回路基板１２に取り付けても良く、また、第２の回路基板１２の端部２２を延長してその延長部の上に取り付けても良い。第１の回路基板１１に流れる電流ＥＣはこの第２のアンテナ部３２と導電体を含む部品１８により、第２の回路基板１２に電流ｅｃとして分散して流れる。
【００２３】
図１６は、本出願の携帯通信装置の第８の実施例を示すものであり、第２の実施例のアンテナ３と第４の実施例の第２の回路基板１２を組み合わせた状態を示す部分断面図である。アンテナ３は、前述の第１のアンテナ部３１と第２のアンテナ部３２及び第３のアンテナ部３３とから構成し、第２の回路基板１２の端部２２に、導電体を含む部品１８を、アンテナ３の直下に位置するように取り付けて構成する。第１の回路基板１１に流れる電流ＥＣはこの第２のアンテナ部３２、第３のアンテナ部３３及び導電体を含む部品１８により、第２の回路基板１２に電流ｅｃとして分散して流れる。
【００２４】
図１７〜図１９は、本出願の第１の実施例のアンテナ３の具体的な形状を３つの方向から見たものである。第１の実施例のアンテナ３は、第１のアンテナ部３１と第１のアンテナ部３１に対して延長されて直交方向に折り曲げられた第２のアンテナ部３２とを備える。第２のアンテナ部３２は、第１のアンテナ部３１の端部から更に延長され、延長部が第１の回路基板１１の角部に沿って折り曲げられている。
【００２５】
図２０は、図１７〜図１９に示したアンテナ３が第１の回路基板１１の端部２１に取り付けられた状態を示すものであり、図５に示した構成に対応するものである。図２１は、図７に示したアンテナ３の代わりに本出願の第１の実施例のアンテナ３が取り付けられた状態を示すものである。また、図２２は、図８に示したアンテナ３の代わりに本出願の第１の実施例のアンテナ３が取り付けられた状態を示すものである。更に、図２３は、図６に示したアンテナ３の代わりに本出願の第１の実施例のアンテナ３が取り付けられた状態を示すものである。
【００２６】
また、図２４は、図２０に示した第１の回路基板１１と第２の回路基板１２を接続するフレキシブルケーブル１５を切断して第２の回路基板１２の全体を示すと共に、第１の回路基板１１に表示器４を取り付けた状態を示すものである。
【００２７】
図２５〜図２７は、図１７〜図１９に示した本出願の第１の実施例のアンテナ３の変形実施例のアンテナの構造を示すものである。図２５に示すアンテナ３では第２のアンテナ部３１に複数個の小さな貫通孔３４を設けている。図２６に示すアンテナ３では、第２のアンテナ部３１をメッシュワイヤ（金網）３５で形成している。更に、図２７に示すアンテナ３では、第２のアンテナ部３２に複数個のスリット３６を形成し、第２のアンテナ基板３１を櫛歯状に形成している。これらの変形実施例は、アンテナ３を軽量化するためのものである。
【００２８】
図２８は、本出願の第２の実施例のアンテナ３の具体的な形状を示すものであり、この図は、図１９に示した第１の実施例のアンテナ３の方向と同じ方向から見た第２の実施例のアンテナ３の具体的な形状を示している。また、図２９は、本出願の第２の実施例のアンテナ３の変形例の一例を示すものであり、図１７に示した第１の実施例のアンテナ３と同じ方向から見たものである。この変形例では第２のアンテナ部３２に大きな貫通孔３７を設けてアンテナ３の軽量化を図っている。
【００２９】
図３０は、図２４に示した第２の回路基板１２を本出願の第３の実施例の第２の回路基板１２に代えた構成を示すものである。第３の実施例では、第２の回路基板１２のアンテナ３側の端部２２が延長されて基板延長部１７が形成されている。基板延長部１７は、第２の回路基板１２の上に第１の回路基板１１が重なった時に、第１の回路基板１１に接続するアンテナ３の直下に位置するようになっている。
【００３０】
図３１は、本出願の第４の実施例の第２の回路基板１２の具体的な構成を示すものである。第４の実施例では、第２の回路基板１２のアンテナ３側の端部２２に、導電体を含む部品１８、例えばトラックボール１８が取り付けられた構成を示している。トラックボール１８は直接第２の回路基板１２に取り付けても良いが、第３の実施例と同様の基板延長部１７を設け、基板延長部１７の上に取り付けても良い。導電体を含む部品１８は、第２の回路基板１２の上に第１の回路基板１１が重なった時に、第１の回路基板１１に接続するアンテナ３の直下に位置するようになっている。
【００３１】
図３２は、第１の回路基板と第２の回路基板とが１つの筐体２３内に設置された本出願に係る第２の形態の携帯通信装置２０を示すものである。第２の形態の携帯通信装置２０は、例えばストレート型携帯電話機２０である。図３３は、ストレート型携帯電話機２０における従来のアンテナ構造を示すものである。従来のストレート型携帯電話機２０の一体型筐体２３の内部には第１の回路基板１１と第２の回路基板１２とが平行に設けられており、細板状で第１のアンテナ部３１のみを備えるアンテナ３が第１の回路基板１１の端部２１に接続端子１３によって接続されていた。
【００３２】
本出願では、第２の形態のストレート型携帯電話機２０においても、第１の回路基板１１に流れる電流ＥＣを分散させて、第２の回路基板１２に分散電流ｅｃを流すようにする。図３４〜図３７は第２の形態における本出願の基本的な第１から第４の実施例を示すものである。ここでは、第２の形態の第１から第４の実施例における、第１の回路基板１１を流れる電流ＥＣと、第２の回路基板１２を流れる電流ｅｃの図示は省略してある。また、第２の形態では、図１３から図１６に示したような、第１から第４の実施例の組み合わせによる第５から第８の実施例の図示も省略してある。
【００３３】
図３４は、本出願のストレート型携帯電話機２０の第１の実施例におけるアンテナ３の形状を示すものである。第１の実施例では、筐体２３に内蔵される第１の回路基板１１に接続端子１３を介して接続するアンテナ３を、第１のアンテナ部３１と第２のアンテナ部３２とから構成した。第１のアンテナ部３１は、第１の回路基板１１の端部２１に沿って第１の回路基板１１に平行する方向に延設して設け、第２のアンテナ部３２は、第１のアンテナ部３２の端部を延長して第２の回路基板１２側に屈曲されて延伸して設けている。第１の回路基板１１に流れる電流はこの第２のアンテナ部３２により、第２の回路基板１２に分散して流れる。
【００３４】
図３５は、本出願のストレート型携帯電話機２０の第２の実施例におけるアンテナ３の形状を示すものである。第２の実施例では、筐体２３に内蔵される第１の回路基板１１に接続端子１３を介して接続するアンテナ３を、第１のアンテナ部３１と第２のアンテナ部３２、及び第３のアンテナ部３３とから構成した。第１のアンテナ部３１は、第１の回路基板１１の端部２１に沿って第１の回路基板１１に平行する方向に延設して設け、第２のアンテナ部３２は、第１のアンテナ部３２の端部を延長して第２の回路基板１２側に屈曲させて延伸して設ける。更に、第２のアンテナ部３２の端部を延長し、この延長部を第２の回路基板１２に平行な方向に折り曲げて第３のアンテナ部３３を設ける。第１の回路基板１１に流れる電流はこの第２のアンテナ部３２と第３のアンテナ部３３とにより、第２の回路基板１２に分散して流れる。
【００３５】
図３６は、本出願の横スライド型携帯電話機１０の第３の実施例における第２の回路基板１２の形状を示すものである。第３の実施例では、筐体２３に内蔵される第１の回路基板１１に接続端子１３を介して接続するアンテナ３を、第１のアンテナ部３１のみから構成する。一方、第２の回路基板１２の端部２２を、基板延長部１７によってアンテナ３の直下の位置まで延長する。第１の回路基板１１に流れる電流はこの基板延長部１７により、第２の回路基板１２に分散して流れる。
【００３６】
図３７は、本出願のストレート型携帯電話機２０の第４の実施例における第２の回路基板１２の形状を示すものである。第４の実施例では、筐体２３に内蔵される第１の回路基板１１に接続端子１３を介して接続するアンテナ３を、第１のアンテナ部３１のみから構成する。一方、第２の回路基板１２の端部２２に、導電体を含む部品１８を、アンテナ３の直下に位置するように取り付ける。導電体を含む部品１８は、第２の回路基板１２の端部２２を延長せずに第２の回路基板１２に取り付けても良く、また、第２の回路基板１２の端部２２を延長してその延長部の上に取り付けても良い。第１の回路基板１１に流れる電流はこの導電体を含む部品１８により、第２の回路基板１２に分散して流れる。
【００３７】
以上のように構成した第１の形態及び第２の形態の携帯通信装置では、アンテナを第１の実施例のように構成すれば、携帯通信装置の使用時に人体から受ける影響量が２０％程度少なくなる。また、アンテナを第２の実施例のように構成すれば、携帯通信装置の使用時に人体から受ける影響量が４０％程度少なくなる。この結果、第１の実施例でアンテナの利得が１２．５％程向上し、第２の実施例で１６．７％程向上する。
【００３８】
なお、本出願の第１、第２実施例に示したように、アンテナ３の端部を第２の回路基板側に折り曲げるのではなく、アンテナ３自体の厚みを増加させることで第２の回路基板との電磁結合を行うことも考えられるが、アンテナ特性が劣化してしまうため実施可能性が低い。
【００３９】
以上、本出願を特にその好ましい実施の形態を参照して詳細に説明した。本出願の容易な理解のために、本出願の具体的な形態を以下に付記として記載する。
【００４０】
（付記１）  第１の回路基板（１１）、前記第１の回路基板（１１）と対向する第２の回路基板（１２）、及び前記第１の回路基板（１１）に接続されるアンテナ（３）とを有する携帯通信装置であって、
前記アンテナは、
前記第１の回路基板（１１）に平行する方向に延設された第１のアンテナ部（３１）と、
前記第１の回路基板（１１）から遠い側の前記第１のアンテナ部（３１）の端部に、前記第２の回路基板（１２）側に屈曲する方向に延設された第２のアンテナ部（３２）を有することを特徴とする携帯通信装置。
（付記２）  前記第２のアンテナ部（３２）はその端部に、前記第２の回路基板（１２）に平行な方向に延伸された第３のアンテナ部（３３）を備えることを特徴とする付記１に記載の携帯通信装置。
（付記３）  前記第２の回路基板（１２）の端部が前記アンテナ（３）の直下の位置まで延長された基板延長部（１７）を備えることを特徴とする付記１に記載の携帯通信装置。
（付記４）  前記第２の回路基板（１２）は、前記アンテナ（３）の直下に導電体を含む部品（１８）を備えることを特徴とする付記１に記載の携帯通信装置。
（付記５）  第２のアンテナ部（３２）に複数の孔（３４）が開けられていることを特徴とする付記１に記載の携帯通信装置。
【００４１】
（付記６）  第２のアンテナ部（３２）がメッシュ構造（３５）になっていることを特徴とする付記１に記載の携帯通信装置。
（付記７）  第２のアンテナ部（３２）に端部側から複数のスリット（３６）が設けられていることを特徴とする付記１に記載の携帯通信装置。
【符号の説明】
【００４２】
１    上側筐体
２    下側筐体
３    アンテナ
５    レシーバ（受話口）
６    マイク（送話口）
８    人体（頭部）
１０  携帯電話機
１１  第１の回路基板
１２  第２の回路基板
１３  アンテナ接続端子
１５  フレキシブルケーブル（ＦＰＣ）
１７  基板延長部
１８  トラックボール
２０  携帯電話機
２３  一体型筺体
３１  第１のアンテナ部
３２  第２のアンテナ部
３３  第３のアンテナ部
ＥＣ  第１の回路基板電流
ｅｃ  第２の回路基板電流
【図１】
0005659862.tif 000002
【図２】
0005659862.tif 000003
【図３】
0005659862.tif 000004
【図４】
0005659862.tif 000005
【図５】
0005659862.tif 000006
【図６】
0005659862.tif 000007
【図７】
0005659862.tif 000008
【図８】
0005659862.tif 000009
【図９】
0005659862.tif 000010
【図１０】
0005659862.tif 000011
【図１１】
0005659862.tif 000012
【図１２】
0005659862.tif 000013
【図１３】
0005659862.tif 000014
【図１４】
0005659862.tif 000015
【図１５】
0005659862.tif 000016
【図１６】
0005659862.tif 000017
【図１７】
0005659862.tif 000018
【図１８】
0005659862.tif 000019
【図１９】
0005659862.tif 000020
【図２０】
0005659862.tif 000021
【図２１】
0005659862.tif 000022
【図２２】
0005659862.tif 000023
【図２３】
0005659862.tif 000024
【図２４】
0005659862.tif 000025
【図２５】
0005659862.tif 000026
【図２６】
0005659862.tif 000027
【図２７】
0005659862.tif 000028
【図２８】
0005659862.tif 000029
【図２９】
0005659862.tif 000030
【図３０】
0005659862.tif 000031
【図３１】
0005659862.tif 000032
【図３２】
0005659862.tif 000033
【図３３】
0005659862.tif 000034
【図３４】
0005659862.tif 000035
【図３５】
0005659862.tif 000036
【図３６】
0005659862.tif 000037
【図３７】
0005659862.tif 000038